(57)【特許請求の範囲】
【請求項１】
下細りの截頭円錐形の内周面、及びこの内周面の小径側に設けられた吸引口を有するケーシングと、前記内周面に沿って気体を噴出する少なくとも一つのノズルと、前記内周面あるいは前記内周面の近傍に設けられ、内周面に沿う異物の旋回運動を妨げる回転阻止部とを備えることを特徴とする渦気流吸引装置。
【請求項２】
下細りの截頭円錐形の内周面、及びこの内周面の小径側に設けられた吸引口を有するケーシングと、前記内周面に沿って気体を噴出する少なくとも一つのノズルと、前記内周面あるいは前記内周面の近傍に設けられ、前記内周面よりも内側に突き出る回転阻止部とを備えることを特徴とする渦気流吸引装置。
【請求項３】
前記回転阻止部は棒状に形成され、渦気流の流れの方向と交差する方向に延びることを特徴とする請求項１又は２に記載の渦気流吸引装置。
【請求項４】
前記内周面の大径側に連通すると共に排出口を有する搬送ダクトを備えることを特徴とする請求項１乃至３いずれかに記載の渦気流吸引装置。
【請求項５】
少なくとも袋類が混在されているごみを搬送するごみ搬送コンベヤの上方に設けられると共に、渦気流によって袋類を吸引することを特徴とする、請求項１乃至４いずれかに記載の渦気流吸引装置。
【請求項６】
下細りの截頭円錐形の内周面、及びこの内周面の小径側に設けられた吸引口を有するケーシングと、前記内周面に沿って気体を噴出する少なくとも一つのノズルと、前記内周面の大径側に連通すると共に排出口を有する搬送ダクトと、この搬送ダクトの前記排出口部分に設けられた排出シュートと、前記搬送ダクト内の前記排出シュート部分に、前記搬送ダクトを横切るように設けられた、搬送面に気体が通過し得る開口が設けられた袋類捕集用コンベヤとを備え、少なくとも袋類が混在されているごみを搬送するごみ搬送コンベヤの上方に設けられると共に、渦気流によって袋類を吸引する渦気流吸引装置において、
前記吸引口は、前記ごみ搬送コンベヤを覆うコンベヤ用カバーに接続されていることを特徴とする渦気流吸引装置。
【請求項７】
前記搬送ダクトを横切るように設けられた前記コンベヤの搬送方向が重力方向であることを特徴とする、請求項６に記載の渦気流吸引装置。
【請求項８】
前記搬送ダクトは、前記コンベヤ用カバーに接続され、前記排出口から排出される以外の気体が前記吸引口付近に還流されることを特徴とする、請求項６または７記載の渦気流吸引装置。
【請求項９】
前記搬送ダクトには、気体を吸引・排気するブロワが設けられていることを特徴とする、請求項８記載の渦気流吸引装置。
【発明の詳細な説明】
【０００１】
【発明の属する技術分野】
本発明は、ごみ等を吸引する吸引装置に関し、特に各家庭等から収集されたごみ袋等の破袋後の袋、フィルムを回収する吸引装置に関する。
【０００２】
【従来の技術】
缶、瓶、プラスチックボトル類の有価物は、ごみ袋に詰められて再資源化プラントに送られる。再資源化プラントにおいては、有価物を梱包しているゴミ袋を破袋し、破袋後のごみ袋、缶、瓶、プラスチックボトル等を選別回収している。従来、この破袋後のごみ袋の回収は人手で行われていたが、自動的に回収する除袋装置として以下のものが知られている。
【０００３】
▲１▼周囲をパイプで構成した回転ドラムに破袋後の袋を送り込み、中の袋をパイプのフックに引っ掛けて持ち上げ、袋を上面側の受け皿に吹き落し、受け皿上の袋をブロワで吸い込む除袋装置（特開平９−９６６号公報参照）。
【０００４】
▲２▼破袋後の袋を、周囲に弾性フックを有する回転ブラシで引っ掛けて掻き揚げ、掻き揚げた袋をブロワで吸い込み、サイクロン集塵機で捕集する除袋装置（特開平９−２４９１６号公報参照）。
【０００５】
▲３▼ベルトコンベヤで破袋後の袋が混在したごみを搬送し、コンベヤの終点でごみを落下させ、落下したごみに対してノズルヘッダで下方から上方に気流を噴射し、袋を分別回収する風力選別装置（特開平１０−２４９２８２号公報参照）。
【０００６】
▲４▼破袋装置の破袋ホイールの底部に、破袋ホイールと同じ方向に同じ速度で回転する除袋スクリーンを設け、ノズルで高圧気流を発生して尖頭状破袋刃と破袋ホイールの回転力で引き裂かれた袋を除袋スクリーンに押し付け、回収シュートで除袋スクリーンに押し付けられた袋を回収する除袋装置（特開平１０−２０３５１５号公報参照）。
【０００７】
【発明が解決しようとする課題】
しかしながら、上記▲１▼の除袋装置にあっては、袋をフックに引っ掛けて持ち上げるのに機械系が大掛かりとなり、また、袋を空気流にて吸い込むのには大容量の吸引ブロワが必要となる。
【０００８】
また、上記▲２▼の除袋装置にあっても、袋を弾性フックに引っ掛けて掻き揚げるのに機械系が大掛かりになり、また、掻き揚げた袋を空気流にて吸い込むのには大容量の吸引ブロワが必要となる。
【０００９】
また、上記▲３▼の風力選別装置にあっては、確実に袋を回収できないおそれがある。
【００１０】
さらに、上記▲４▼の除袋装置にあっても、袋を除袋スクリーンに押し付け、回収シュートで回収するのに機械系が大掛かりになる。
【００１１】
そこで、大掛かりな機械系を有することなく、小風量の空気流を利用して確実に袋類を回収するため、本出願人は、円錐形のケーシング内に渦流れを起こすようにケーシングの内周面に沿って空気を噴出するノズルを設け、竜巻の原理で袋を吸い上げる渦気流吸引装置を提案している（特願２０００−２１０８８３号参照）。
【００１２】
本発明は、上記渦気流吸引装置の改良に関するものであり、その目的とするところは、上記渦気流吸引装置をより一層優れたものにすることにある。
【００１３】
【課題を解決するための手段】
以下、本発明について説明する。なお、本発明の理解を容易にするために添付図面の参照番号を括弧書きにて付記するが、それにより本発明が図示の形態に限定されるものでない。
【００１４】
ごみ搬送コンベヤを搬送される破袋後の資源ごみには、ガラスビン、缶、プラスチックボトル及び袋等がある。これらのうち特に偏平に潰されたアルミ等の飲料缶は嵩比重が小さくかつ風に飛ばされ易いため、飲料缶単独であるいは袋と共に吸引されることがある。吸引された飲料缶は袋側の異物となり選別純度を低下させる。
【００１５】
ケーシング内を渦気流にて引き上げられる袋、缶、プラスチックボトルの挙動を仔細に観察すると、缶、ボトルはケーシングの内面に接触しながら螺旋状に上昇する。渦気流を発生させるノズルをケーシングの下部に設置すると、缶、ボトルはケーシングの下部で加速され、その一部は最上部の排出口に達して排出されるが、残りの一部は途中で回転力を失い、ケーシングの内面に沿って落下し、下部で再加速され再び上昇する。一方、袋類は嵩密度が極めて小さいため、その一部はケーシングの内面に接触するが基本的にはケーシングの中心部を流れる上昇気流にのって排出口へ運ばれる。
【００１６】
本発明者は缶類と袋類の挙動の違いに着目し、ケーシングの内周面に異物の旋回運動を妨げる回転阻止部を設ければ、缶類の上昇を防げ、且つ袋類を上昇させ得ることを知見した。すなわち、請求項１の発明は、下細りの截頭円錐形の内周面（９）、及びこの内周面（９）の小径側に設けられた吸引口（８）を有するケーシング（５）と、前記内周面（９）に沿って気体を噴出する少なくとも一つのノズル（６）と、前記内周面（９）あるいは前記内周面（９）の近傍に設けられ、内周面に沿う異物の旋回運動を妨げる回転阻止部（１６）とを備えることを特徴とする。
【００１７】
ノズルに気体（例えば圧縮空気）を吹き込むと、このノズルからケーシングの内周面に沿って高速の気体が噴出する。この気体は上方に開いた内周面の頂角の効果で上向きの速度成分を持ち、結果として吸引口から上方へ向かって螺旋状の気体流を形成する。この螺旋状の気体流は、吸引口外側から気体を吸い込む。このため、吸引口付近にある袋類を気体流に乗らせて上方へ吸い上げることができる。
【００１８】
また、回転阻止部がケーシングの内周面に沿って螺旋状に上昇する缶類等の異物の回転を阻害するので、缶類の上昇を防ぐことができる。一方袋類はケーシングの中心部を流れる上昇気流にのって上昇するので、回転阻止部による影響は殆どない。この結果、袋類側への缶類等の異物の混入が激減した。
【００１９】
本発明は、下細りの截頭円錐形の内周面（９）、及びこの内周面（９）の小径側に設けられた吸引口（８）を有するケーシング（５）と、前記内周面（９）に沿って気体を噴出する少なくとも一つのノズル（６）と、前記内周面（９）あるいは前記内周面（９）の近傍に設けられ、前記内周面（９）よりも内側に突き出る回転阻止部（１６）とを備えることを特徴とする渦気流吸引装置としても構成できる。
【００２０】
また、請求項３の発明は、請求項１又は２に記載の渦気流吸引装置において、前記回転阻止部（１６）は棒状に形成され、渦気流の流れの方向と交差する方向に延びることを特徴とする。
【００２１】
この発明によれば、棒状の回転阻止部が螺旋状に上昇する缶類の回転を確実に阻止する。
【００２２】
さらに請求項４の発明は、請求項１ないし３いずれかに記載の渦気流吸引装置において、前記内周面（９）の大径側に連通すると共に排出口（１８）を有する搬送ダクト（７）を備えることを特徴とする。
【００２３】
この発明によれば、吸い上げられた袋類は搬送ダクト中を搬送され、排出口から排出される。
【００２４】
ところで、ケーシング内を上昇した袋類は、搬送ダクト中を搬送される。袋類を排出するためには、気体流によって搬送される袋類を一旦捕集しなければならない。この捕集方法としては、搬送ダクトの途中に袋類が通過できない隙間を持つ固定の網又はホーク等を配置し、袋類を下側に落とす方法が考えられる。
【００２５】
しかしこの方法では、時として袋類が網又はホークに張りつき、これにより袋類の排出口に気体（空気）が吹き込み、排出した袋類を飛散させることがある。
【００２６】
この問題を解決するために、本発明者は固定の網又はホーク等の代わりに、気体が通過し得る開口が設けられた搬送面（例えば網目状あるいはスリット状の搬送面）を有するコンベヤを設置した。すなわち請求項６の発明は、下細りの截頭円錐形の内周面（９）、及びこの内周面（９）の小径側に設けられた吸引口（８）を有するケーシング（５）と、前記内周面（９）に沿って気体を噴出する少なくとも一つのノズル（６）と、前記内周面（９）の大径側に連通すると共に排出口（１８）を有する搬送ダクト（７）と、この搬送ダクトの前記排出口部分に設けられた排出シュートと、前記搬送ダクト内の前記排出シュート部分に、前記搬送ダクトを横切るように設けられた、搬送面に気体が通過し得る開口が設けられた袋類捕集用コンベヤ（１９）とを備え、少なくとも袋類が混在されているごみを搬送するごみ搬送コンベヤの上方に設けられると共に、渦気流によって袋類を吸引する渦気流吸引装置において、前記吸引口は、前記ごみ搬送コンベヤを覆うコンベヤ用カバーに接続されていることを特徴とする。
【００２７】
この発明によれば、搬送面に袋類が貼りついても、コンベヤが貼りついたままの袋類を気体の流れのない搬送ダクトを外れた位置まで搬送する。その後袋類は搬送ダクトを外れた位置で自然落下する。気体の通過する搬送ダクト中の搬送面は常に新しくなるので、気体を詰まらせることを回避できる。
【００２８】
また、請求項７の発明は、請求項６に記載の渦気流吸引装置において、前記コンベヤ（１９）の搬送方向が重力方向であることを特徴とする。
【００２９】
この発明によれば、基本的には袋類が搬送面にぶつかって重力によって重力方向に落下する。もし搬送面に袋類が張りついても、袋類はコンベヤによって搬送面に張りついたまま重力方向に排出される。したがって、袋類が多いときでも全ての袋類を重力方向の一方向に分離・捕集することができる。これに対し、搬送方向が水平方向の場合、袋類を水平方向に排出するためには袋類を搬送面に確実に張りつけて排出する必要がある。袋類が多いときには搬送面に張りつかない袋類が生じ、この搬送面に張りつかない袋類が重力方向に落ちてしまうので、全ての袋を水平方向の一方向に分離・捕集することができなくなる。
【００３０】
ところで、渦気流はノズルから高速の圧縮空気を吹き出すことによって生成される。高速の空気の流れは周囲の空気を巻き込む（所謂伴流空気）。ノズルから例えば１気圧換算で１ｍ3／分の圧縮空気を吹き出すと、吸引口から回りの空気が吸い込まれ、搬送ダクト中にはノズルから吹き出される風量の数倍、例えば１気圧換算で７ｍ3／分の空気が流れる。渦気流吸引装置から排気される排気空気は、除塵した後空中に放出しなければいけない。この排気空気の処理量が大きいと除塵設備のコストが高く、渦気流吸引装置の本体機器のコストを上回ることがある。
【００３１】
本発明者は、この問題を解決するために、搬送ダクトの中の排気空気が渦気流吸引装置の中で循環利用するように、搬送ダクトの経路を吸引口近傍に連結した。すなわち、請求項８の発明は、請求項６または７記載の発明において、搬送ダクト（７）は、コンベヤ用カバー（１３）に接続され、前記排出口から排出される以外の気体が前記吸引口付近に還流されることを特徴とする。
【００３２】
この発明によれば、ノズルから吹き出される気体（圧縮空気）の量だけは排出口から排気されるが、渦気流によって吸い込んだ量の気体（空気）は循環される。気体の８０％程度が循環されるので、２０％程度のみが排気されることになる。したがって、除塵機器の処理能力が数分の一になりコストも占有面積も大幅に改善できる。
【００３３】
また、請求項９に記載の渦気流吸引装置は、請求項８に記載の渦気流吸引装置において、前記搬送ダクト（７）には気体を吸引するブロワ（２０）が設けられることを特徴とする。
【００３４】
この発明によれば、搬送ダクト中の気体の量を増やすことなく、吸引した袋類を搬送することができる。
【００３５】
本発明の渦気流吸引装置は、少なくとも袋類が混在されているごみから渦気流によって袋類を吸引するのに好適に用いることができる。
【００３７】
【発明の実施の形態】
図１及び図２は、本発明の一実施形態における渦気流吸引装置１を組み込んだ選別装置を示す。図１は選別装置の平面図を示し、図２は断面図を示す。選別装置は、缶、瓶及びプラスチックボトル等が混在する資源ごみ２から破袋後の袋及びフィルム等の袋類３を選別する。この選別装置は、資源ごみ２を搬送する搬送コンベヤ４と、搬送コンベヤ４の上方に設けられ、渦気流によって袋及びフィルム等の袋類３を吸引する渦気流吸引装置１とを備える。
【００３８】
搬送コンベヤ４は、両端のベルト車の間に幅広の無端環状ベルトを循環させて、ベルト上面に資源ごみ２を載せて搬送するベルトコンベヤからなる。搬送コンベヤ４はコンベヤ用カバー１３で部分的に覆われ、渦気流吸引装置１の吸引口８がこのコンベヤ用カバー１３に接続されている。コンベヤ用カバー１３は、吸引口８の上流側及び下流側に吸引口８と略等しい長さを有する。
【００３９】
ベルトを挟んだ搬送コンベヤ４の両側には、ベルトに向かって圧縮空気を噴出する補助ノズルが設けられる。資源ごみは、ガラスビン、缶、プラスチックボトル、破袋後の袋、フィルム等を含む。これらの資源ごみは相互に重なり合って搬送されるので、上方からの吸引のみではガラスビン、缶の下敷きにになった袋類３の回収が困難になる。補助ノズルを設けることで、袋類３に上方への浮力を与え、下敷きになった袋類３をガラスビン、缶から分離することができる。
【００４０】
コンベヤ用カバー１３には渦気流吸引装置１の吸上げ部１１の吸引口８が接続される。吸上げ部１１は、搬送コンベヤ４上に配置され、円錐形に形成された内周面９を有するケーシング５と、このケーシング５の内周面９に沿って圧縮空気を噴出するノズル６とを備える。ここで、圧縮空気の他に窒素ガス、炭酸ガス等を使用してもよく、特に、防爆等の要求があるときは、窒素ガス、炭酸ガス等を使用する。一般的には、簡単に入手でき、かつ安価な圧縮空気を使用する。
【００４１】
ケーシング５は、下端から上端に向かうにつれ徐々に径が広くなる内周面９を備える。内周面９は下細りの截頭円錐形に形成され、その頂角αが５度〜３０度程度に設定される。内周面９の径及び高さは、吸い上げた袋類３に渦流で遠心力を働かせ、袋類３を確実に排出できるように設定される。内周面９の頂角を０に近づけ円筒形にすると、渦気流は上向きの速度成分を有さないので、吸い上げ効果がでにくくなる。このケーシング５は、例えば板材を下細りの截頭円錐形に曲げ加工等して製造される。
【００４２】
ケーシング５の下端には吸引口８が設けられる。吸引口８は断面円形で、その開口寸法は搬送コンベヤ４の搬送幅よりも若干小さく設定される。また、搬送コンベヤ４の搬送面から吸引口８までの高さは、缶、瓶、プラスボトル等の通過を妨げないように設定される。例えば、開口幅は３００ｍｍ以上、高さは１５０ｍｍ以上に設定される。
【００４３】
内周面９の吸引口８側には、内周面９に沿って圧縮空気を噴出する一対のノズル６が設けられる。一対のノズル６は、内周面９の中心軸に対して直交する平面内の同一円周上に周方向に均等間隔を開け、しかも同一方向（例えば時計回り）に旋回流を生じるように配置されている。ノズル６にはコンプレッサ等から圧縮空気が送られ、ノズル６から高速の空気が吹きだされる。ここで、袋及びフィルム３を吸い上げる吸引力は、空気の流量よりも流速に左右される。このため、吸引力を上げるためには、ノズル６の先端の断面積を小さくし、流速を上げるのが望ましい。なお、ノズル６は、水平方向の速度成分をもつ空気を噴出するように水平方向を向いているが、吹きだした空気が上向きの速度成分をもつように先端が若干上方向を向いていてもよい。また、ノズル６は２本設けているが、もちろん２本に限られることなく、１本であってもよいし、２本以上例えば６本であってもよい。このノズル６の本数は吸引する対象の大きさ、嵩比重等によって決定される。
【００４４】
円錐部の内周面９には、内周面９に沿う缶類等の異物の旋回運動を妨げる棒状の回転阻止部１６が少なくとも一本以上、好ましくは２本設けられる。この回転阻止部１６はこのノズル６よりも大径側における、内周面９上に設けられ、内周面９から内側に突き出ている。また、回転阻止部１６は渦気流の流れの方向（円周方向）と交差する方向、この実施形態では略直交する方向に延びていて、内周面９の高さよりも若干短い長さを有している。
【００４５】
なお、回転阻止部１６は、異物の旋回運動を妨げることができれば棒状でなく断続的に形成された突起であってもよい。また、棒状の回転阻止部１６は内周面９からわずかな隙間を空けて内周面９の近傍に配置されていてもよい。
【００４６】
ケーシング５の上端は搬送ダクト７で塞がれ、内周面９の大径側が搬送ダクトに連通している。搬送ダクト７はケーシング５の中心線に直交する方向に延びる。搬送ダクトの途中から袋類を排出するための排出シュート１７が分岐している。排出シュート１７は鉛直下方向に延び、その下端に排出口１８が形成されている。この排出口１８から袋類３が排出される。袋類３と共に排出される空気は、図示しないサイクロン等の集塵機で集塵処理される。
【００４７】
図２に示すように、搬送ダクト７は排出シュート１７近傍でその断面積が広げられる。断面積を広げた部分には、水平方向に延びる搬送ダクト７を鉛直方向に横切るように袋類捕集用コンベヤ１９が設けられる。コンベヤ１９は両端のベルト車の間に無端環状のメッシュを循環させた所謂メッシュコンベヤで、コンベヤ１９の搬送面は袋類３のみ捕集し且つ空気が通過し得る開口を有する網からなる。袋類捕集用コンベヤ１９の搬送方向は重力方向、すなわち鉛直下方向である。このコンベヤ１９は搬送ダクト中を搬送される袋類３を捕集し、排出シュート１７まで捕集した袋類３を運ぶ。
【００４８】
図１に示すように、搬送ダクト７の袋類捕集用コンベヤ１９の下流側には空気を吸引・排気するブロワ２０が設けられる。ブロワ２０は搬送ダクト７中に空気流を生じさせ、搬送ダクト７中の袋類３を搬送する。ここで、ブロワ２０は袋類を吸い上げる吸引装置としては用いてないので、補助的で済み、大容量のものを用意する必要がない。
【００４９】
ブロワ２０の下流側には、ブロワ２０の上流側の搬送ダクト７ａをＵターンさせるように搬送ダクト７ｂ（以下還流ダクト７ｂと呼ぶ）が設けられる。この還流ダクト７ｂは、排出シュート１７側に分岐した空気以外の空気を吸引口８に還流する。還流ダクト７ｂも途中から分岐し、吸引口８の両側でコンベヤ用カバーに接続している。
【００５０】
以下、本発明の一実施形態における渦気流吸引装置１を組み込んだ選別装置の動作について説明する。袋詰めの瓶、缶、プラスチックボトル等の資源ごみは破袋装置等で袋が破袋され、瓶、缶、プラスチックボトル、袋類３が混在した状態で搬送コンベヤ４上を搬送される。
【００５１】
ノズル６に圧縮空気を吹き込むと、吸引口８から排出口１８へ向かって螺旋状の空気流が形成される。この螺旋状の空気流は、吸引口８外側から空気を吸い込む。このため、吸引口８付近にある袋類が空気流に乗って上方へ吸い上げられる。
【００５２】
吸上げ部１１のノズル６に圧縮空気を吹き込むと、このノズル６からケーシング５の内周面に沿って高速の空気が噴出する。この空気は上方に開いた内周面の頂角の効果で上向きの速度成分を持ち、結果として吸引口８から上方へ向かって螺旋状の空気流を形成する。この螺旋状の空気流は、吸引口８の外側から空気を吸い込む。このため、吸引口８付近にある袋類３が空気流に乗り、上方へ吸い上げられる。
【００５３】
ここで、回転阻止部１６がケーシング５の内周面に沿って螺旋状に上昇する缶類の回転を阻止するので、缶類の上昇を防ぐことができる。一方袋類３はケーシング５の中心部を流れる上昇気流にのって上昇するので、回転阻止部１６による影響は殆どない。
【００５４】
吸い上げられた袋類３は、搬送ダクト７中を搬送される。そして、基本的には袋類３が袋類捕集用コンベヤ１９の網目状の搬送面にぶつかり、重力によって重力方向に落下する。もし網目状の搬送面に袋類３が張りついても、袋類３は搬送面に張りついたまま重力方向に排出される。袋類は搬送ダクトを外れた、空気の流れのない排出シュート位置まで搬送され、その後自然落下する。落下した袋類は袋類搬送コンベヤ２２によって搬送される。
【００５５】
ノズル６から例えば１気圧換算で１ｍ3／分の圧縮空気を吹き出すと、吸引口８から回りの空気が吸い込まれ、搬送ダクト７中にはノズルから吹き出される風量の数倍、例えば１気圧換算で７ｍ3／分の空気が流れる。ノズルから吹き出す圧縮空気の量だけは排出口１８から排気されるが、渦気流によって吸い込んだ量の空気は還流ダクト７ｂによって循環される。これにより、空気の８０％程度が循環し、空気の２０％程度のみが排出口１８から排気される。したがって、除塵機器の処理能力が数分の一になりコストも占有面積も大幅に改善できる。
【００５６】
回収された袋類３は、比重分離され、塩ビ、ポリエチレン、ポリプロピレンの粒状物に造粒される。また、缶は誘導電磁力によってアルミ缶、スチール缶に分別され、瓶は色別に分別され、プラボトルは色、材質毎に分別される。
【００５７】
【発明の効果】
以上説明したように、本発明によれば、渦気流吸引装置が円錐形の内周面、及びこの内周面の小径側に設けられた吸引口を有するケーシングと、内周面に沿って気体を噴出する少なくとも一つのノズルと、内周面あるいは内周面の近傍に設けられ、渦気流の流れを妨げる回転阻止部とを備える。回転阻止部がケーシングの内周面に沿って螺旋状に上昇する缶類の回転を阻害するので、缶類の上昇を防ぐことができる。一方袋類はケーシングの中心部を流れる上昇気流にのって上昇するので、回転阻止部による影響は殆どない。この結果、袋類側への缶類等異物の混入が激減した。
【００５８】
また、搬送ダクトの途中に、搬送ダクトを横切るように網目状の搬送面を有する袋類捕集用コンベヤを設けたので、網目状の搬送面に袋類が貼りついても、袋類は気体の流れのない、搬送ダクトを外れた位置まで搬送される。その後袋類は搬送ダクトを外れた位置で自然落下する。搬送ダクト中の網目状の搬送面は常に新しくなるので、気体が詰まるのを回避できる。
【００５９】
さらに、搬送ダクトが気体を吸引口付近に還流するので、気体の８０％程度が循環される。したがって、除塵機器の処理能力が数分の一になりコストも占有面積も大幅に改善できる。
【図面の簡単な説明】
【図１】本発明の一実施形態における渦気流吸引装置を組み込んだ選別装置示す平面図。
【図２】上記渦気流吸引装置の断面図。
【符号の説明】
５・・・ケーシング
６・・・ノズル
７・・・搬送ダクト
７ｂ・・・還流ダクト（搬送ダクト）
８・・・吸引口
９・・・内周面
１６・・・回転阻止部
１９・・・袋類捕集用コンベヤ
２０・・・ブロワ
【図１】
0003887544.tif 000002
【図２】
0003887544.tif 000003